(57)【要約】【課題】携帯端末の状態を正確に管理してプレゼンス情報やマナーモードの自動設定をすることが可能なシステムを提供する。【解決手段】電車の出入口の内と外に信号発信装置２１、２２が設置され、これら装置は共通の場所情報「電車」と各々を識別する信号源情報「Ｒ１」、「Ｒ２」を制御信号として発信している。携帯電話端末１０がこの制御信号を受信する際、電車の中に入る場合と外に出る場合とでは、信号源情報の受信順序が反対になる。携帯電話端末１０のプレゼンス判断部は、「Ｒ１」→「Ｒ２」、すなわち外、内の順序で受信した場合に、携帯電話端末１０が電車内に入ったことを認識して、プレゼンスを「電車内」と判断する。【選択図】図１
2007189593.tif 000002
【特許請求の範囲】
【請求項１】
所定の場所に設置されて、該場所を表す場所情報を含んだ制御信号を発信する信号発信装置と、
前記制御信号を受信する携帯端末の制御信号受信手段と、
受信した制御信号に基づいて前記携帯端末の状態を判断する判断手段と、
を備える
ことを特徴とする携帯端末の状態管理システム。
【請求項２】
所定の場所に設置されて、該場所を表す場所情報を含んだ制御信号を発信する信号発信装置と、
ユーザが所持する携帯端末と、
から構成され、
前記携帯端末は、
前記制御信号を受信する制御信号受信手段と、
受信した制御信号に基づいて該携帯端末の状態を判断する判断手段と、
を備える
ことを特徴とする携帯端末の状態管理システム。
【請求項３】
所定の場所に設置されて、該場所を表す場所情報を含んだ制御信号を発信する信号発信装置と、
ユーザが所持する携帯端末と、
前記携帯端末の状態を管理する管理サーバと、
から構成され、
前記携帯端末は、
前記制御信号を受信する制御信号受信手段と、
受信した制御信号に基づいて該携帯端末の状態を判断する判断手段と、
前記判断手段によって得られた該携帯端末の状態を管理情報として前記管理サーバに送信する送信手段と、
を備え、
前記管理サーバは、
携帯端末から前記管理情報を受信する管理情報受信手段と、
携帯端末を特定するための識別情報と前記受信した管理情報とを関連付けて管理する管理手段と、
を備える
ことを特徴とする携帯端末の状態管理システム。
【請求項４】
前記携帯端末は、
前記判断手段によって得られた該携帯端末の状態に従って該携帯端末の動作を制御する制御手段
をさらに備える
ことを特徴とする請求項２に記載の携帯端末の状態管理システム。
【請求項５】
前記信号発信装置は、
所定の出入口の内側と外側に設置されて、前記場所情報と該信号発信装置を識別する信号源情報とからなる制御信号を前記出入口のそれぞれ内側および外側に向けて発信し、
前記判断手段は、
前記信号発信装置の双方から受信した制御信号の順序を前記信号源情報によって判別して、その順序および前記場所情報に従って該携帯端末の状態を判断する
ことを特徴とする請求項１から請求項４のいずれかの項に記載の携帯端末の状態管理システム。
【請求項６】
前記信号発信装置は、
前記携帯端末から送信される所定の信号を受信し、該信号に従って前記制御信号を発信する
ことを特徴とする請求項１から請求項５のいずれかの項に記載の携帯端末の状態管理システム。
【請求項７】
所定の出入口の内側と外側に設置された信号発信装置からそれぞれ該出入口の内側と外側に向けて発信される、出入口の場所を表す場所情報と該信号発信装置を識別する信号源情報とからなる制御信号を受信するステップと、
受信した制御信号の順序を前記信号源情報によって判別して、その順序および前記場所情報に従って携帯端末の状態を判断するステップと、
を備えることを特徴とする携帯端末の状態管理方法。
【請求項８】
所定の出入口の内側と外側に設置された信号発信装置からそれぞれ該出入口の内側と外側に向けて発信される、出入口の場所を表す場所情報と該信号発信装置を識別する信号源情報とからなる制御信号を受信する制御信号受信手段と、
受信した制御信号の順序を前記信号源情報によって判別して、その順序および前記場所情報に従って携帯端末の状態を判断する判断手段と、
を備えることを特徴とする携帯端末。
【発明の詳細な説明】
【技術分野】
【０００１】
本発明は、プレゼンス情報やマナーモードを自動で設定するシステム、方法、および携帯端末に関する。
【背景技術】
【０００２】
コンピュータのネットワークにおいて、リアルタイムで文字ベースの会話やメッセージの送受信を行える、チャットやインスタントメッセージといったサービスが広く普及している。これらのアプリケーションでは、相手を呼び出す前にその相手がネットワークに接続したオンライン状態にあるかどうかを知ることができる、プレゼンス機能が利用されている。プレゼンス機能は、ネットワーク側のサーバにユーザの接続情報を登録管理しておくことで実現される。
【０００３】
また、近年、携帯電話サービスや携帯電話端末の高機能化が著しく、モバイル分野でも上記のインスタントメッセージやＰｏＣ（Push to talk over Cellular）のサービスが開始され、若しくは普及しつつある。これらのアプリケーションもリアルタイム系のサービスであるため、上述した従来からのコンピュータ分野の場合と同様、プレゼンス機能も併せて提供されることが多い。なお、ＰｏＣとは携帯電話を使って一対多のトランシーバ的な通話を可能とするサービスである。
【０００４】
携帯電話のようなモバイルの分野でプレゼンス機能を利用する場合、ユーザの居場所や会議中である等の状態を表したプレゼンス情報は、ユーザのシチュエーション（電車で移動中とか会議中とか）が変更する度にユーザ自身が手動で端末を操作し、設定や切り替えを行なう必要がある。しかしそのような操作を一々行うのは非常に面倒であるため、ユーザが逐一情報の更新をしないことも多い。その結果、サーバで管理するプレゼンス情報が正確なものでなくなり、ひいてはプレゼンス機能そのものの利用促進を妨げる要因となってしまっている。
【０００５】
ところで、特許文献１には、外部に設置したＩＣタグリーダ／ライタと連携することによって携帯電話端末のマナーモードを自動的に設定する技術が記載されている。
【特許文献１】特開２００５−２７７９７３号公報
【発明の開示】
【発明が解決しようとする課題】
【０００６】
上記の特許文献に示されたマナーモード自動設定に関する技術を流用すれば、プレゼンス情報を自動的に更新することが可能になるとも考えられるが、この技術をそのまま利用しただけでは次のような問題が発生する。
【０００７】
すなわち、特許文献１によれば、ＩＣタグリーダ／ライタの設置された場所付近をユーザが「通過」したことを判別しているだけであり、その場所（出入口とする）について「入った」のか「出た」のかを判断することができない。
具体的には、例えば、電車の扉付近にＩＣタグリーダ／ライタが設置されている場合、ユーザがその扉を通って電車内に入る（扉を通過する）とユーザが電車内にいると判断される。しかしＩＣタグリーダ／ライタの送受信範囲には限度があるので、一旦当該ＩＣタグリーダ／ライタから離れてしまうと、ユーザが電車内を移動したのか電車外に出たのか判別することができなくなる。そしてその後、ユーザが別の扉（ここにもＩＣタグリーダ／ライタが設置されている）から電車外に出ても、誤って電車内に入ったと判断されてしまう。このように、特許文献１に記載された技術は、ユーザの状態を正確に把握できないという問題があった。
【０００８】
なお、上記のような問題が生じるのを避けるため、扉を通過後に一定時間が経過したら電車外に出たものと見做すという方法も同文献に記載されているが、その効果は限定的である。また、電車内を網羅するよう多数のＩＣタグリーダ／ライタを設置することも考えられるが、コストの面および管理情報の複雑化の点で実用的ではない。
【０００９】
本発明は上記の点に鑑みてなされたものであり、その目的は、携帯端末の状態を正確に管理してプレゼンス情報やマナーモードの自動設定をすることが可能なシステムを提供することにある。
【課題を解決するための手段】
【００１０】
本発明は上記の課題を解決するためになされたものであり、請求項１に記載の発明は、所定の場所に設置されて、該場所を表す場所情報を含んだ制御信号を発信する信号発信装置と、前記制御信号を受信する携帯端末の制御信号受信手段と、受信した制御信号に基づいて前記携帯端末の状態を判断する判断手段と、を備えることを特徴とする携帯端末の状態管理システムである。
【００１１】
また、請求項２に記載の発明は、所定の場所に設置されて、該場所を表す場所情報を含んだ制御信号を発信する信号発信装置と、ユーザが所持する携帯端末と、から構成され、前記携帯端末は、前記制御信号を受信する制御信号受信手段と、受信した制御信号に基づいて該携帯端末の状態を判断する判断手段と、を備えることを特徴とする携帯端末の状態管理システムである。
【００１２】
また、請求項３に記載の発明は、所定の場所に設置されて、該場所を表す場所情報を含んだ制御信号を発信する信号発信装置と、ユーザが所持する携帯端末と、前記携帯端末の状態を管理する管理サーバと、から構成され、前記携帯端末は、前記制御信号を受信する制御信号受信手段と、受信した制御信号に基づいて該携帯端末の状態を判断する判断手段と、前記判断手段によって得られた該携帯端末の状態を管理情報として前記管理サーバに送信する送信手段と、を備え、前記管理サーバは、携帯端末から前記管理情報を受信する管理情報受信手段と、携帯端末を特定するための識別情報と前記受信した管理情報とを関連付けて管理する管理手段と、を備えることを特徴とする携帯端末の状態管理システムである。
【００１３】
また、請求項４に記載の発明は、請求項２に記載の携帯端末の状態管理システムにおいて、前記携帯端末は、前記判断手段によって得られた該携帯端末の状態に従って該携帯端末の動作を制御する制御手段をさらに備えることを特徴とする。
【００１４】
また、請求項５に記載の発明は、請求項１から請求項４のいずれかの項に記載の携帯端末の状態管理システムにおいて、前記信号発信装置は、所定の出入口の内側と外側に設置されて、前記場所情報と該信号発信装置を識別する信号源情報とからなる制御信号を前記出入口のそれぞれ内側および外側に向けて発信し、前記判断手段は、前記信号発信装置の双方から受信した制御信号の順序を前記信号源情報によって判別して、その順序および前記場所情報に従って該携帯端末の状態を判断する
ことを特徴とする。
【００１５】
また、請求項６に記載の発明は、請求項１から請求項５のいずれかの項に記載の携帯端末の状態管理システムにおいて、前記信号発信装置は、前記携帯端末から送信される所定の信号を受信し、該信号に従って前記制御信号を発信することを特徴とする。
【００１６】
また、請求項７に記載の発明は、所定の出入口の内側と外側に設置された信号発信装置からそれぞれ該出入口の内側と外側に向けて発信される、出入口の場所を表す場所情報と該信号発信装置を識別する信号源情報とからなる制御信号を受信するステップと、受信した制御信号の順序を前記信号源情報によって判別して、その順序および前記場所情報に従って携帯端末の状態を判断するステップと、を備えることを特徴とする携帯端末の状態管理方法である。
【００１７】
また、請求項８に記載の発明は、所定の出入口の内側と外側に設置された信号発信装置からそれぞれ該出入口の内側と外側に向けて発信される、出入口の場所を表す場所情報と該信号発信装置を識別する信号源情報とからなる制御信号を受信する制御信号受信手段と、受信した制御信号の順序を前記信号源情報によって判別して、その順序および前記場所情報に従って携帯端末の状態を判断する判断手段と、を備えることを特徴とする携帯端末である。
【発明の効果】
【００１８】
本発明によれば、信号発信装置からの制御信号を受け、その制御信号に含まれる場所情報に基づいて携帯端末の状態が判断されるので、当該状態に応じてプレゼンス情報等を自動で設定することができる。
【００１９】
また、請求項３に記載の発明によれば、上記の判断結果が管理サーバに送られて携帯端末毎のプレゼンス情報として管理されるので、ＰｏＣ等のリアルタイムアプリケーション向けプレゼンスサービスを提供することができる。
また、請求項４に記載の発明によれば、マナーモード設定など、携帯端末の動作の制御に上記の判断結果を利用することができる。
【００２０】
また、請求項５に記載の発明によれば、出入口の内外に信号発信装置を設け、この出入口を通過する際にこれらの装置から制御信号を続けて受信してその受信順序を判別し、当該順序を上記場所情報と併用して携帯端末の状態を判断しているので、信号発信装置の近くということだけでなく、携帯端末が出入口の中にいるのか外にいるのかまでも認識することができ、携帯端末の状態の管理を正確に行うことが可能である。
また、請求項６に記載の発明によれば、信号発信装置の構成を簡易なものにすることができる。
【発明を実施するための最良の形態】
【００２１】
以下、図面を参照しながら本発明の実施形態について詳しく説明する。
≪第１の実施形態≫
図１は、本発明の第１の実施形態である携帯端末の状態管理システムにおいて、設置された信号発信装置の近傍をユーザが通過する様子を示した概略図である。同図において、ユーザは携帯電話端末１０を所持しており、電車の出入口を出たり入ったりする。当該出入口の上部の壁面には、出入口外側に第１信号発信装置２１が、内側に第２信号発信装置２２が、それぞれ設置されている。
なお、本明細書では、特許請求の範囲における「携帯端末」として携帯電話端末１０を想定して説明を行うが、その他ＰＤＡ（Personal Digital Assistance）やＰＨＳ（Personal Handyphone System）端末のような携帯型無線端末についても同様に適用することが可能である。
【００２２】
これらの信号発信装置２１、２２は、その設置場所を表す場所情報と各装置を識別するための固有の信号源情報とを含んだ制御信号を、常時、または外部からの制御に従って発信している。ただし、この場所情報は、例えば「電車」とか「会議室」のように単に装置が設置されている場所を意味するだけであり、その中なのか外なのかは、この場所情報から知ることはできない。ここでは具体的に、第１信号発信装置２１の場所情報は「電車」、信号源情報は「Ｒ１」であるものとし、第２信号発信装置２２の場所情報は「電車」、信号源情報は「Ｒ２」であるものとする。
【００２３】
ここで、各信号発信装置２１、２２から発信される制御信号は、当該装置を中心とした同心円状に広がっていくが、電波の性質上壁面で遮蔽されるため、電車の外側に設置された第１信号発信装置２１からは電車の外側に向かってのみ信号は伝達され、電車の内側に設置された第２信号発信装置２２からは電車の内側に向かってのみ信号が伝達されるようになっている。すなわち、第１信号発信装置２１からの制御信号は電車の内側では受信できず、その逆もまた同様である。
【００２４】
このような配置により、携帯電話端末１０は当該出入口の外側にいる場合には第１信号発信装置２１からの情報「電車」と「Ｒ１」を受信し、内側にいる場合には第２信号発信装置２２からの情報「電車」と「Ｒ２」を受信することとなる。なお、信号発信装置からの電波強度等によって信号の到達範囲は限られるので、携帯電話端末１０が制御信号を受信できるのは出入口付近（例えば信号発信装置から数メートル）だけであり、出入口からある程度離れると信号はどこからも受信できなくなる。
【００２５】
図２は、本システム全体の機能ブロック図である。同図に示すように、本システムは携帯電話端末１０と、第１および第２信号発信装置２１、２２と、管理サーバ３０とから構成される。携帯電話端末１０と管理サーバ３０はネットワーク４０によって接続され、相互に通信が可能である。
【００２６】
携帯電話端末１０は、信号受信部１１と、プレゼンス判断部１２と、プレゼンス情報送信部１３と、信号送信部１４とを有している。各信号発信装置２１、２２から発せられた制御信号は、信号受信部１１によって受信されプレゼンス判断部１２へ送られる。プレゼンス判断部１２は、入力されたその制御信号に含まれる場所情報と信号源情報を基に後述する処理を行って、携帯電話端末１０の置かれた状態、すなわちプレゼンスを判断する。ここでプレゼンスの具体例としては、「電車内」や「病院内」など特定のエリア内であることを表す場合や、会議室にて「会議中」などのようにユーザが特定の状況下にあることを表す場合等がある。ユーザの移動によってこうしたプレゼンス情報が更新されると、プレゼンス判断部１２は更新後のプレゼンス情報をプレゼンス情報送信部１３へ送り、プレゼンス情報送信部１３はそのプレゼンス情報を管理サーバ３０へと送信する。なお、信号送信部１４は、各信号発信装置２１、２２を動作させるための起動信号を送信するために用いられる（図５参照）。
【００２７】
管理サーバ３０は、プレゼンス情報受信部３１と、プレゼンス情報管理部３２と、プレゼンスサービス提供部３３とを有している。携帯電話端末１０から送信されたプレゼンス情報は、プレゼンス情報受信部３１により受信されてプレゼンス情報管理部３２へと送られる。プレゼンス情報管理部３２は、プレゼンス情報管理テーブルを用いて携帯電話端末ごとにこのプレゼンス情報を管理する。
なお、本システムでは上記の通り、プレゼンス判断部１２が携帯電話端末１０に設けられているとして説明するが、管理サーバ３０がプレゼンス判断部を有していてもよい。この場合は、携帯電話端末１０から管理サーバ３０へは場所情報と信号源情報とが送信されることになる。
【００２８】
プレゼンス情報管理テーブルの一例を図３に示す。同テーブルには、携帯電話端末を特定する情報としてその端末の電話番号と、受信されたプレゼンス情報とが対応付けられて記憶されている。このテーブル内のプレゼンス情報欄の設定値は、更新されたプレゼンス情報が送られてくる度に新しい値に書き換えられる。なお、携帯電話端末の特定情報は、電話番号の代わりにＩＰアドレス等でもよい。また、その特定情報は、あらかじめ管理サーバ３０内に記憶しておくこともできるし、プレゼンス情報とともに携帯電話端末から送信するようにしてもよい。
【００２９】
プレゼンスサービス提供部３３は、プレゼンスサービスに登録しているユーザからの問い合わせがあると、その問い合わせで指定された携帯電話端末のプレゼンス情報を上記のプレゼンス情報管理テーブルから呼び出して、問い合わせ元のユーザに当該プレゼンス情報を提供する。例えばプレゼンス情報をＰｏＣサービスに利用する場合、あるグループに所属する複数のメンバのプレゼンス情報がプレゼンス情報管理テーブルに更新管理されており、ＰｏＣの通話を行う際、グループメンバのプレゼンス情報がプレゼンスサービス提供部３３から各メンバに配布される。
【００３０】
次に、プレゼンス判断部１２が場所情報と信号源情報とからプレゼンスを判断する処理について説明する。図４は、プレゼンス判断部１２において記憶されて当該処理のために利用される、プレゼンス判断処理テーブルの一例である。同図（ａ）〜（ｄ）は、携帯電話端末１０の移動に伴ってプレゼンスが順次変遷していく様子を示している。
【００３１】
同テーブルの「受信信号」の欄には、受信された制御信号を発した信号発信装置の信号源情報、すなわち例えば「Ｒ１」や「Ｒ２」といった値が書き込まれる。このうち、「現在／直近」の欄は、現在受信している制御信号、若しくはいずれの信号発信装置からも距離が離れているため信号の受信ができない場合は直近に受信した制御信号であり、「一つ前」の欄は、その一つ前に受信した制御信号を表している。
また、「信号内の場所情報」の欄には、制御信号を発した信号発信装置の場所情報、すなわち例えば「電車」とか「病院」などの値が書き込まれる。「プレゼンス」の欄は、ここでの処理の結果得られた端末のプレゼンス情報が書き込まれる部分である。
【００３２】
図４（ａ）〜（ｄ）に従って処理の流れを順に説明する。
まず、ユーザの所持した携帯電話端末１０が、はじめある会議室の出入口の外側に設置された信号発信装置からの信号を受けていたとする。この時の信号源情報を「Ｑ１」とする。ユーザが会議室を離れて電車に近付いていくと、携帯電話端末１０は、電車の出入口の外側に設置されている第１信号発信装置２１からの制御信号を受信する。この制御信号に含まれている場所情報と信号源情報は、それぞれ「電車」と「Ｒ１」である。プレゼンス判断部１２は、これら新たに取得した情報をプレゼンス判断処理テーブルに書き込む。その結果、同テーブルの内容は図４（ａ）のようになる。
【００３３】
ここで、信号源情報は、「受信信号」欄の「一つ前」と「現在／直近」の各欄に記録された値の通り、「Ｑ１」から「Ｒ１」へ変化している。プレゼンス判断部１２は、この信号源情報の変化の仕方に応じてプレゼンスを判断する。この場合、「Ｑ１」で示される場所と「Ｒ１」で示される場所はそれぞれ異なる場所であると認識されて、プレゼンスは「通常」と判断される。
【００３４】
次いで、ユーザが第１信号発信装置２１の設置された出入口を通って電車内に入っていくと、それまで受信していた第１信号発信装置２１からの制御信号が途切れ、代わりに携帯電話端末１０は、その出入口の内側に設置されている第２信号発信装置２２が発している制御信号を受信するようになる。この時、場所情報は「電車」となり、信号源情報は「Ｒ２」となる。これにより、プレゼンス判断処理テーブルは、図４（ｂ）のように書き換えられる。
【００３５】
この段階においては、信号源情報は「Ｒ１」から「Ｒ２」へ変化している。プレゼンス判断部１２は、「Ｒ１」も「Ｒ２」も同じ出入口に対応する信号源情報であって、それが外側から内側へと変わったことを認識し、また場所情報が「電車」であることから、プレゼンスを「電車内」と判断する。
【００３６】
その後、ユーザが同じ出入口を通って電車の外に出ていくと、再び第１信号発信装置２１からの制御信号が受信される。その結果、プレゼンス判断処理テーブルは図４（ｃ）の状態となる。この段階では、信号源情報が内側の「Ｒ２」から外側の「Ｒ１」へと変化するので、プレゼンス判断部１２はプレゼンスを「通常」と判断する。
【００３７】
なお、ユーザが別の出入口を通って外で出る場合には、プレゼンス判断処理テーブルは図４（ｃ’）および（ｃ’’）のように変わっていく。この別の出入口にも信号発信装置が取り付けられており、その信号源情報を外側は「Ｒ３」、内側は「Ｒ４」とし、場所情報はいずれも「電車」とする。すると、ユーザが電車内を移動してこの出入口に近付くと、テーブルの信号源情報は「Ｒ２」から「Ｒ４」に変化する。この変化は内側から内側であるので、プレゼンスは変更されず、「電車内」のままとなる（図４（ｃ’））。そしてユーザがこの出入口から外に出ると、信号源情報は「Ｒ４」から「Ｒ３」へ変化する（図４（ｃ’’））。この時の判断は上述の図４（ｃ）と同じである。
【００３８】
電車の外に出たユーザが、さらに移動して病院に近付いたとする。またこの病院の出入口の外側には、場所情報「病院」と信号源情報「Ｓ１」を持つ信号発信装置が設置されているとする。この装置からの制御信号を携帯電話端末１０が受信すると、信号源情報は「Ｒ１」から「Ｓ１」に変化する。すると、上記図４（ａ）の場合と同様に、プレゼンス判断部１２は信号源情報が前と後とで異なる別の場所を示していることを認識し、プレゼンスは「通常」と判断される（図４（ｄ））。
【００３９】
なお、ここで述べたプレゼンスの判断処理において、携帯電話端末１０が会議室から電車へ（図４（ａ））、電車の最初の出入口から次の出入口へ（同図（ｃ’））、さらに電車から病院へ（同図（ｄ））、のように場所を移動する場合、その移動の途中にどこからも制御信号を受信しない空白のエリアがあってもよく、そのときの処理は上記と変わらず同じである。
【００４０】
次に、信号発信装置２１、２２と携帯電話端末１０の間で制御信号を送受信するシーケンスについて説明する。ここで、信号発信装置には、ＲＦＩＤ（電子タグ）、ＲＦＩＤリーダ／ライタ、ブルートゥース（登録商標）機器を利用することができ、図５〜図７にそのそれぞれを示す。
【００４１】
図５は、ＲＦＩＤを利用した場合である。ＲＦＩＤは、アンテナを内蔵した数ミリ角程度の小型の半導体チップであり、例えば商品の荷札等に用いられる既存の技術である。ＲＦＩＤとの通信は、所定の無線電波を使って行われる。ＲＦＩＤが電波を受信すると、アンテナの電磁誘導によって起電力が発生して、この電力により内部の回路が作動する。なお、その通信方式や記憶方式には様々な種類があるが、本システムにはどの方式のものを使ってもよい。
【００４２】
同図において、携帯電話端末１０は、所定の情報を含んだ起動信号を常時（または一定の時間間隔で）信号送信部１４から発信している（ステップＳ１１）。この時、発せられた起動信号は、図８に示すように携帯電話端末１０を中心として同心円状に広がっていく。携帯電話端末１０とＲＦＩＤ（各信号発信装置２１、２２。以下同様）の距離が近くなって、起動信号の到達範囲内にＲＦＩＤが入ると、ＲＦＩＤはその起動信号を受信して回路を作動させる（ステップＳ１２〜ステップＳ１４）。
【００４３】
起動したＲＦＩＤは、自分に割り当てられ記憶している場所情報と信号源情報を内蔵する記憶部から呼び出して、上述した制御信号としてアンテナから発信する（ステップＳ１５）。この制御信号は、既出の図１のように伝搬し、携帯電話端末１０によって受信される（ステップＳ１６）。以降、携帯電話端末１０は、図４において説明した処理を実行し、プレゼンスの判断を行う（ステップＳ１７）。
【００４４】
図６は、信号発信装置としてＲＦＩＤリーダ／ライタを利用した場合である。この場合は、携帯電話端末１０の信号受信部１１にはＲＦＩＤを採用する。
同図において、場所情報と信号源情報を含んだ制御信号がＲＦＩＤリーダ／ライタ（各信号発信装置２１、２２）から常時発信されている（ステップＳ２１）。携帯電話端末１０が図１のように制御信号の到達範囲内に移動してくると、ＲＦＩＤ（信号受信部１１。以下同様）は制御信号を受信し、起電力発生により回路を起動させる（ステップＳ２２〜ステップＳ２４）。ＲＦＩＤは受信された場所情報と信号源情報を記憶する記憶部を持っており、受信の度にそれらの情報を書き換えて、プレゼンス判断部１２へ送り出す（ステップＳ２５〜ステップＳ２６）。その後、図５の場合と同じくプレゼンスが判断される（ステップＳ２７）。なお、ＲＦＩＤの動作電力は、アンテナでの起電力発生によらず、端末内の電力を直接供給してもよい。
【００４５】
図７は、信号発信装置としてブルートゥース（登録商標）機器を利用した場合を示したものである。ここで、ブルートゥース（登録商標）は近距離無線を用いた周知の通信技術である。
同図において、ブルートゥース（登録商標）機器（各信号発信装置２１、２２）は上述の制御信号を常時発信している（ステップＳ３１）。この場合も、制御信号は既出の図１のように伝搬する。携帯電話端末１０は、ブルートゥース（登録商標）機器の電波圏内に入ると制御信号を受信して、プレゼンス判断部１２でプレゼンスを判断する（ステップＳ３２〜ステップＳ３３）。
【００４６】
なお、図５〜図７にて説明したもののほか、信号発信装置には、指向性を持たせずに信号を発信する方式の通信機器であれば、その種類を問わずに利用することができる。例えば、無線ＬＡＮや可視光通信を使う発信装置を適用可能である。
【００４７】
このように、本実施形態によれば、電車の出入口の内外に信号発信装置２１、２２が設置され、これら装置は共通の場所情報「電車」と各々を識別する信号源情報「Ｒ１」、「Ｒ２」を制御信号として発信している。携帯電話端末１０がこの制御信号を受信する際、電車の中に入る場合と外に出る場合とでは、信号源情報の受信順序が反対になる。プレゼンス判断部１２は、「Ｒ１」→「Ｒ２」、すなわち外、内の順序で受信した場合に、携帯電話端末１０が電車内に入ったことを認識して、プレゼンスを「電車内」と判断する。これにより、信号発信装置の“近く”にいるということだけでなく、出入口を入ったのか出たのかを検知して「電車“内”」であることを把握でき、プレゼンス情報を正確に取得することが可能である。また、一旦受信圏外に移動した後に制御信号の受信を再開した場合でも、信号源情報の受信の順序を判別しているのでプレゼンスを正しく判断することが可能である。こうして、ユーザの手作業によることなく、携帯電話端末１０のプレゼンスを自動で更新し、管理することができる。
【００４８】
≪第２の実施形態≫
次に、本発明の他の実施形態について説明する。この実施形態は、信号発信装置の設置方法とプレゼンスの判断処理方法が前述の実施形態と異なるが、それ以外の構成と動作は前述のものと同じである。
図９は、本実施形態による携帯端末の状態管理システムにおいて、信号発信装置と携帯電話端末が制御信号を送受信する様子を示した概略図である。
【００４９】
同図において、信号発信装置２１は、会社内のユーザの自席近傍、例えば机の上部に設置されている。このシステムでは、信号発信装置を一つだけ使用する。信号発信装置２１は、「会社内自席」という場所情報とともに、その場所が出入口のようにユーザの出入りを検知するための場所ではなく、ユーザがそこに滞在しているかどうかを検知するための場所であることを示す「固定ポイント」という情報を、制御信号として発信している。この制御信号の到達するエリアは、図１等と同様、半円状となる。
【００５０】
携帯電話端末１０は、この「固定ポイント」という情報を受けた場合、図４のプレゼンス判断処理テーブルのように「一つ前」の情報を参照することなく、直ちに受信中の場所情報に応じてプレゼンスを更新する。この結果、プレゼンスは「会社内自席」となり、プレゼンス判断処理テーブルは図１０の状態となる。
【００５１】
また、このプレゼンスは、携帯電話端末１０が情報「固定ポイント」を受信している間はずっと同じ値に維持される。さらにまた、図１の信号発信装置２１、２２からの制御信号については図４のプレゼンス判断処理テーブルで管理し、図９の信号発信装置２１からの制御信号は図１０のテーブルで管理するというように、２つのテーブルを併用してもよい。この場合、情報「固定ポイント」の受信中は、図１０のテーブルによる処理を優先することにする。例えば、オフィス内の各所の出入口は図４のテーブルによりプレゼンスを管理し、ユーザが自席に着くと図１０のテーブル管理に移行する、といったような運用を行う。
【００５２】
このように、本実施形態によれば、信号発信装置２１から「会社内自席」という場所情報と「固定ポイント」という情報が発信されており、この「固定ポイント」という情報を携帯電話端末１０が受けると、プレゼンスは「会社内自席」と判断される。これにより、出入口のような場所に限らず正確なプレゼンス情報を得ることができる。
【００５３】
≪第３の実施形態≫
次に、本発明のさらに別の実施形態について説明する。この実施形態では、プレゼンス情報の代わりにマナーモードの設定を管理する。
図１１は、本実施形態による携帯端末の状態管理システム全体の機能ブロック図を示したものである。同図において、本システムは携帯電話端末１０と、第１および第２信号発信装置２１、２２から構成される。ここで、第１および第２信号発信装置２１、２２の設置の態様とこれらが発信する制御信号については、第１の実施形態の場合と同じであるものとする。
【００５４】
携帯電話端末１０は、信号受信部１１と、プレゼンス判断部１２と、プレゼンス情報送信部１３と、マナーモード設定部１５とを有している。各信号発信装置２１、２２からの制御信号が信号受信部１１に受信され、プレゼンス判断部１２においてプレゼンスが判断されて、プレゼンス情報送信部１３がプレゼンス情報を送信する処理もまた、第１の実施形態と同じである。そしてここではさらに、プレゼンス情報はマナーモード設定部１５へも送られる。
【００５５】
マナーモード設定部１５は、各種の状況に対応して設定パラメータを登録したマナーモード管理テーブルを有しており、プレゼンス判断部１２から送られてきたプレゼンス情報に従ってマナーモードの設定を行う。図１２はマナーモード管理テーブルの一例である。例えば、プレゼンス情報が「電車内」であったとすると、同テーブルの設定パラメータに基づいて、音量は「０」に、バイブレーション機能は「ＯＮ」に、留守電機能は「ＯＮ」に、それぞれ設定される。
【００５６】
次に、本システムの動作例として、病院内に持ち込まれた携帯電話端末１０にマナーモードが設定される場合の処理の流れを説明する。
まず前提として、病院の出入口の外側と内側には、信号発信装置としてＲＦＩＤリーダ／ライタが設置されており、また携帯電話端末１０にはＲＦＩＤが内蔵されているものとする。また、マナーモード管理テーブルの「病院内」の設定パラメータは、電源が「ＯＦＦ」と登録されているとする。
【００５７】
はじめに、ユーザが病院の中へ入る際には、携帯電話端末１０は出入口外側の第１信号発信装置２１、内側の第２信号発信装置２２の順に制御信号を受信して、プレゼンスが「病院内」に更新される（この動作は既出の図４（ｂ）と同じである）。そしてプレゼンス情報送信部１３はプレゼンス情報「病院内」を管理サーバへ送信し、その後、マナーモード設定部１５がマナーモード管理テーブル（電源「ＯＦＦ」）に従って携帯電話端末１０の電源をＯＦＦにする。
【００５８】
また、ユーザが病院の外へ出る際は、携帯電話端末１０の電源が入っていないのでプレゼンス判断部１２は作動していないが、ＲＦＩＤは受信した電波による電磁誘導で起電力を発生させて、内部の記憶部において第２信号発信装置２２、第１信号発信装置２１の順に制御信号を受信したことを認識する。そしてこれにより、携帯電話端末１０の電源がＯＮにされる。その後、プレゼンスが「通常」に更新されて（この動作は図４（ｃ）と同じである）、プレゼンス情報送信部１３からプレゼンス情報「通常」が送信される。
【００５９】
このように、本実施形態によれば、プレゼンス情報の判断結果がマナーモード設定部１５に入力されると、そのプレゼンス情報に対応付けられて登録されている各種設定パラメータにより、携帯電話端末１０にマナーモードが設定される。これにより、マナーモードの設定をプレゼンス情報の更新と同期させて管理することが可能である。
【００６０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【図面の簡単な説明】
【００６１】
【図１】第１の実施形態による携帯端末の状態管理システムの概略的な構成を示した図である。
【図２】図１のシステム全体の機能ブロック図である。
【図３】プレゼンス情報管理テーブルの一例である。
【図４】プレゼンス判断部の処理で用いられるプレゼンス判断処理テーブルの一例である。
【図５】ＲＦＩＤを利用した場合の制御信号送受信のシーケンス図である。
【図６】ＲＦＩＤリーダ／ライタを利用した場合の制御信号送受信のシーケンス図である。
【図７】ブルートゥース（登録商標）機器を利用した場合の制御信号送受信のシーケンス図である。
【図８】携帯電話端末からの起動信号の到達範囲を示した図である。
【図９】第２の実施形態による携帯端末の状態管理システムの概略的な構成を示した図である。
【図１０】第２の実施形態におけるプレゼンス判断処理テーブルの一例である。
【図１１】第３の実施形態による携帯端末の状態管理システムの機能ブロック図である。
【図１２】マナーモード管理テーブルの一例である。
【符号の説明】
【００６２】
１０…携帯電話端末  １１…信号受信部  １２…プレゼンス判断部  １３…プレゼンス情報送信部  １４…信号送信部  １５…マナーモード設定部  ２１…第１信号発信装置  ２２…第２信号発信装置  ３０…管理サーバ  ３１…プレゼンス情報受信部  ３２…プレゼンス情報管理部  ３３…プレゼンスサービス提供部
【図１】
2007189593.tif 000003
【図２】
2007189593.tif 000004
【図３】
2007189593.tif 000005
【図４】
2007189593.tif 000006
【図５】
2007189593.tif 000007
【図６】
2007189593.tif 000008
【図７】
2007189593.tif 000009
【図８】
2007189593.tif 000010
【図９】
2007189593.tif 000011
【図１０】
2007189593.tif 000012
【図１１】
2007189593.tif 000013
【図１２】
2007189593.tif 000014